(57)【要約】【課題】不正なユーザーによる無断使用を抑制することが可能な画像表示装置、プロジェクター、及び画像表示装置の制御方法を提供する。【解決手段】スタンバイ状態でディスクスロットにＤＶＤメディアＭが挿入されていない場合には、ユーザーは、ＤＶＤメディアＭをディスクスロットに挿入することによって、プロジェクター１を電源オン状態に移行させることができる。そして、ユーザー認証機能が無効の場合には、挿入したＤＶＤメディアＭの再生が自動的に開始されるとともに、それ以降のプロジェクター１の利用が可能となる。一方、ユーザー認証機能が有効の場合には、ＤＶＤメディアＭの再生は開始されずにＤＶＤメディアＭが排出され、暗証番号によるユーザー認証処理が行われる。そして、このユーザー認証が成立した場合にのみ、それ以降のプロジェクター１の利用が可能となる。【選択図】図２
2010283423.tif 000002
【特許請求の範囲】
【請求項１】
装着された記録媒体に記録されている画像情報を再生する画像再生部と、
前記画像再生部が再生する前記画像情報に基づく画像を表示する画像表示部と、
前記画像再生部に前記記録媒体が装着された場合に、前記画像再生部に前記画像情報の再生を開始させる制御部と、
ユーザーの認証を行う認証部と、
を備え、
前記制御部は、前記認証部による認証が成立するまで、前記画像再生部による画像情報の再生を禁止することを特徴とする画像表示装置。
【請求項２】
請求項１に記載の画像表示装置であって、
前記記録媒体を外部から取り込んで前記画像再生部に装着させる記録媒体搬送部と、
前記記録媒体搬送部に前記記録媒体を取り込ませるための取り込み操作を検出する取り込み操作検出部と、
を備え、
前記記録媒体搬送部は、前記認証部による認証が成立する前に、前記取り込み操作検出部が前記取り込み操作を検出した場合には、前記記録媒体を取り込んだ後で外部に排出することを特徴とする画像表示装置。
【請求項３】
請求項１に記載の画像表示装置であって、
前記記録媒体を外部から取り込んで前記画像再生部に装着させる記録媒体搬送部と、
前記記録媒体搬送部に前記記録媒体を取り込ませるための取り込み操作を検出する取り込み操作検出部と、
を備え、
前記記録媒体搬送部は、前記認証部による認証が成立する前に、前記取り込み操作検出部が前記取り込み操作を検出した場合には、前記記録媒体の取り込みを禁止することを特徴とする画像表示装置。
【請求項４】
装着された記録媒体に記録されている画像情報を再生する画像再生部と、
前記画像再生部が再生する前記画像情報に基づく画像を投写する画像投写部と、
前記画像再生部に前記記録媒体が装着された場合に、前記画像再生部に前記画像情報の再生を開始させる制御部と、
ユーザーの認証を行う認証部と、
を備え、
前記制御部は、前記認証部による認証が成立するまで、前記画像再生部による画像情報の再生を禁止することを特徴とするプロジェクター。
【請求項５】
装着された記録媒体に記録されている画像情報を再生する画像再生部を備えた画像表示装置の制御方法であって、
前記記録媒体を外部から取り込んで前記画像再生部に装着させるための取り込み操作を検出する取り込み検出ステップと、
前記取り込み操作が検出された場合に、ユーザーの認証を行う認証ステップと、
前記認証ステップにて前記認証が不成立の場合に、前記画像再生部による前記画像情報の再生を禁止する再生禁止ステップと、
を備えたことを特徴とする画像表示装置の制御方法。
【発明の詳細な説明】
【技術分野】
【０００１】
本発明は、記録媒体に記録されている画像情報を再生する画像再生部を備えた画像表示装置、プロジェクター、及び画像表示装置の制御方法に関する。
【背景技術】
【０００２】
画像を表示する画像表示装置において、ＤＶＤ（Digital Versatile Disc）やブルーレイディスク等の記録媒体に記録されている画像情報を再生するための画像再生手段を一体的に備えたものが知られている（例えば、特許文献１参照）。このような画像表示装置を用いれば、外部の画像再生装置を接続することなく、記録媒体に記録されている画像情報に基づく画像を容易に鑑賞することが可能となる。
【先行技術文献】
【特許文献】
【０００３】
【特許文献１】特開２００５−９９６１７号公報
【発明の概要】
【発明が解決しようとする課題】
【０００４】
しかしながら、上記のような画像表示装置は、画像の鑑賞を容易に行うことができるため、企業や学校等に設置された場合には、不正なユーザーに無断で利用されてしまう恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、装着された記録媒体に記録されている画像情報を再生する画像再生部と、前記画像再生部が再生する前記画像情報に基づく画像を表示する画像表示部と、前記画像再生部に前記記録媒体が装着された場合に、前記画像再生部に前記画像情報の再生を開始させる制御部と、ユーザーの認証を行う認証部と、を備え、前記制御部は、前記認証部による認証が成立するまで、前記画像再生部による画像情報の再生を禁止することを特徴とする。
【０００７】
この画像表示装置によれば、ユーザーの認証が成立するまでは画像情報の再生が開始されないため、不正なユーザーによる無断使用を抑制することが可能となる。
【０００８】
［適用例２］上記適用例に係る画像表示装置において、前記記録媒体を外部から取り込んで前記画像再生部に装着させる記録媒体搬送部と、前記記録媒体搬送部に前記記録媒体を取り込ませるための取り込み操作を検出する取り込み操作検出部と、を備え、前記記録媒体搬送部は、前記認証部による認証が成立する前に、前記取り込み操作検出部が前記取り込み操作を検出した場合には、前記記録媒体を取り込んだ後で外部に排出するようにしもよい。
【０００９】
この画像表示装置によれば、認証部による認証が成立する前に記録媒体を取り込ませるための操作を行っても、取り込まれた記録媒体が排出されることになるため、認証が成立するまで画像情報の再生ができないことをユーザーに認識させることができる。
【００１０】
［適用例３］上記適用例に係る画像表示装置において、前記記録媒体を外部から取り込んで前記画像再生部に装着させる記録媒体搬送部と、前記記録媒体搬送部に前記記録媒体を取り込ませるための取り込み操作を検出する取り込み操作検出部と、を備え、前記記録媒体搬送部は、前記認証部による認証が成立する前に、前記取り込み操作検出部が前記取り込み操作を検出した場合には、前記記録媒体の取り込みを禁止するようにしてもよい。
【００１１】
この画像表示装置によれば、認証部による認証が成立する前に記録媒体を取り込ませるための操作を行っても、記録媒体が取り込まれないため、認証が成立するまで画像情報の再生ができないことをユーザーに認識させることができる。
【００１２】
［適用例４］本適用例に係るプロジェクターは、装着された記録媒体に記録されている画像情報を再生する画像再生部と、前記画像再生部が再生する前記画像情報に基づく画像を投写する画像投写部と、前記画像再生部に前記記録媒体が装着された場合に、前記画像再生部に前記画像情報の再生を開始させる制御部と、ユーザーの認証を行う認証部と、を備え、前記制御部は、前記認証部による認証が成立するまで、前記画像再生部による画像情報の再生を禁止することを特徴とする。
【００１３】
このプロジェクターによれば、ユーザーの認証が成立するまでは画像情報の再生が開始されないため、不正なユーザーによる無断使用を抑制することが可能となる。
【００１４】
［適用例５］本適用例に係る画像表示装置の制御方法は、装着された記録媒体に記録されている画像情報を再生する画像再生部を備えた画像表示装置の制御方法であって、前記記録媒体を外部から取り込んで前記画像再生部に装着させるための取り込み操作を検出する取り込み検出ステップと、前記取り込み操作が検出された場合に、ユーザーの認証を行う認証ステップと、前記認証ステップにて前記認証が不成立の場合に、前記画像再生部による前記画像情報の再生を禁止する再生禁止ステップと、を備えたことを特徴とする。
【００１５】
この画像表示装置の制御方法によれば、ユーザーの認証が成立するまでは画像情報の再生が開始されないため、不正なユーザーによる無断使用を抑制することが可能となる。
【図面の簡単な説明】
【００１６】
【図１】プロジェクターの斜視図。
【図２】プロジェクターの回路構成を示すブロック図。
【図３】スタンバイ状態で電源キー又は再生キーが操作された場合のプロジェクターの動作を説明するフローチャート。
【図４】認証画像を示す説明図。
【図５】スタンバイ状態でイジェクトキーが操作された場合のプロジェクターの動作を説明するフローチャート。
【図６】スタンバイ状態でＤＶＤメディアがディスクスロットに挿入された場合のプロジェクターの動作を説明するフローチャート。
【発明を実施するための形態】
【００１７】
以下、画像表示装置の一つであるプロジェクターについて、図面を参照して説明する。本実施形態のプロジェクターは、ＤＶＤ（Digital Versatile Disc）を再生可能なＤＶＤ再生部を備えており、ＤＶＤメディアに記録されている画像情報に基づく画像を投写することができる。また、本実施形態のプロジェクターは、暗証番号を用いてユーザーの認証を行うユーザー認証機能を備えており、ユーザーにより入力される暗証番号に基づいて、プロジェクターの使用を許可したり、禁止したりすることができる。なお、このユーザー認証機能は、有効と無効とを切り替え可能になっており、ユーザー認証機能が無効の場合には、暗証番号を入力することなくプロジェクターを使用することができる。
【００１８】
図１は、本実施形態のプロジェクターの斜視図である。
図１に示すように、プロジェクター１は、外装を構成する筐体２によって装置本体が覆われた構成を有している。筐体２の前面２ｆには、外部のスクリーン等に画像（画像光）を投写する投写レンズ１３が露出しており、投写レンズ１３の下側には、記録媒体であるＤＶＤメディアを挿入するためのディスクスロット３が設けられている。また、筐体２の前面２ｆには、リモコン２３から送信される操作信号を受信するための操作信号受信部２４が配置されている。
【００１９】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２０】
図２は、プロジェクターの回路構成を示すブロック図である。
図２に示すように、プロジェクター１は、画像投写部１０、制御部２０、記憶部２１、本体操作部２２、リモコン２３、操作信号受信部２４、ＤＶＤ再生部２５、画像処理部３１、ＯＳＤ処理部３２、電源回路３３、光源制御部３４等を備えている。
【００２１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、画像表示部に相当するものであり、光源１１から射出された光を、液晶ライトバルブ１２Ｒ，１２Ｇ，１２Ｂで変調して画像（画像光）を形成し、この画像を投写レンズ１３から投写して外部のスクリーンＳＣ等に表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３から拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００２５】
記憶部２１は、フラッシュメモリーやＦｅＲＡＭ（Ferroelectric RAM：強誘電体メモリー）等、書き替え可能な不揮発性のメモリーにより構成されている。記憶部２１には、プロジェクター１の動作を制御するための制御プログラムや、プロジェクター１の動作条件等を規定する各種設定データ等が記憶されている。本実施形態では、設定データとして、ユーザー認証機能が有効か無効かを示すフラグ（認証フラグ）とともに、ユーザー認証機能が有効の場合に参照される４桁の暗証番号が記憶されている。なお、認証フラグ及び暗証番号は、ユーザーによって適宜設定（変更）することが可能になっている。
【００２６】
本体操作部２２及びリモコン２３は、上述したように複数の操作キーを備えており、ユーザーからの入力操作（操作キーの操作）を受け付ける入力操作部に相当するものである。複数の操作キーには、上述したイジェクトキーの他に、電源のオンとオフとを切り替えるための電源キーや、ＤＶＤメディアの再生を開始させるための再生キー、ＤＶＤメディアの再生を停止させるための停止キー等が含まれ、これらは、本体操作部２２及びリモコン２３の双方に備えられている。また、環境設定メニュー等を重畳表示させるためのメニューキー、環境設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００２７】
ＤＶＤ再生部２５は、記録媒体（ＤＶＤメディアＭ）に記録された画像情報を再生する画像再生部に相当するものであり、挿入センサー２６、記録媒体搬送部としてのメディア搬送部２７、装着センサー２８、データ読取部２９及びデータ処理部３０等を含んで構成されている。
【００２８】
挿入センサー２６は、ディスクスロット３の近傍に配置され、ＤＶＤメディアＭの一部がディスクスロット３に挿入されたことを検出して制御部２０に通知する。
【００２９】
メディア搬送部２７は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２５内におけるＤＶＤメディアＭの搬送を行う。具体的には、ユーザーがＤＶＤメディアＭの一部を外部からディスクスロット３に挿入し、挿入センサー２６がこの挿入を検出すると、制御部２０は、メディア搬送部２７に指示をして、ＤＶＤメディアＭを内部に取り込んでターンテーブル（図示せず）上に装着させる。また、ユーザーによりイジェクトキーが操作されると、制御部２０は、メディア搬送部２７に指示をして、ターンテーブルからＤＶＤメディアＭを離脱させ、ＤＶＤメディアＭをディスクスロット３から外部に排出させる。
【００３０】
装着センサー２８は、ターンテーブルの近傍に配置され、ターンテーブルにＤＶＤメディアＭが装着されていることを検出して制御部２０に通知する。
【００３１】
データ読取部２９は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２９によって読み取られたデータストリームは、データ処理部３０に順次出力される。
【００３２】
データ処理部３０は、デマルチプレクサーやデコーダー等で構成され、制御部２０の指示に基づいて、データ読取部２９から入力されるデータストリームを画像情報と音声情報とに分離する処理や、分離した画像情報及び音声情報をデコード（復号化）する処理等を行う。データ処理部３０は、復号化された画像情報を画像処理部３１に出力し、復号化された音声情報を図示しない音声出力手段に出力する。なお、ＤＶＤ再生部２５が、ＤＶＤメディアＭからデータストリームを読み取って、このデータストリームに基づく画像情報を出力することを、本明細書では「画像情報を再生する」又は「ＤＶＤメディアＭを再生する」と表記する。
【００３３】
制御部２０は、本体操作部２２又はリモコン２３が再生キーの操作を受け付けると、ＤＶＤ再生部２５に指示をして、画像情報の再生を開始させ、本体操作部２２又はリモコン２３が停止キーの操作を受け付けると、ＤＶＤ再生部２５に指示をして、画像情報の再生を停止させる。
【００３４】
挿入センサー２６及び装着センサー２８は、例えば、メカニカルスイッチ、光センサー、磁気センサー等の各種検出手段を用いて構成することができる。また、装着センサー２８に関しては、上記光ピックアップが受光する反射光の信号レベルによってＤＶＤメディアＭの装着の有無を検出する態様とすることも可能である。
【００３５】
画像処理部３１は、ＤＶＤ再生部２５から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等を調整するための画質調整処理等を行う。画像処理部３１で画質調整等がなされた画像情報は、ＯＳＤ処理部３２に出力される。
【００３６】
ＯＳＤ処理部３２は、制御部２０の指示に基づいて、投写されている画像（投写画像）上に、メニュー画像やメッセージ画像等のＯＳＤ（オンスクリーンディスプレー）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３２は、必要なＯＳＤ画像情報をＯＳＤメモリーから読み出し、投写画像上の所定の位置にＯＳＤ画像が重畳されるように、画像処理部３１から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部３２は、画像処理部３１から入力される画像情報を、そのままライトバルブ駆動部１４に出力する。
【００３７】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００３８】
電源回路３３には、ＡＣ１００Ｖ等の商用電源が外部から供給される。電源回路３３は、商用電源（交流電源）を所定の電圧の直流電源に変換して、プロジェクター１の各部に電力を供給する。また、電源回路３３は、制御部２０の指示に基づいて、画像の投写に必要な電力（動作電力）を各部に供給する状態（以降、「電源オン状態」と呼ぶ。）と、動作電力の供給を停止して、電源をオンにするための操作を待機する状態（以降、「スタンバイ状態」又は「電源オフ状態」と呼ぶ。）とを切り替えることができる。
【００３９】
光源制御部３４は、制御部２０の指示に基づいて、光源１１に対する電力の供給と停止とを制御し、光源１１の点灯及び消灯を切り替える。
【００４０】
本実施形態のプロジェクター１は、上記のように構成されているため、電源回路３３に商用電源が供給されると、電源回路３３は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。商用電源が供給された直後には、プロジェクター１は、スタンバイ状態（電源オフ状態）であり、光源１１を消灯させた状態を維持している。
【００４１】
スタンバイ状態では、ユーザーは、本体操作部２２及びリモコン２３に備わる電源キー、再生キー、或いはイジェクトキーを操作することによってプロジェクター１を電源オン状態に移行させることができる。また、上記の操作キーを操作すること以外に、ＤＶＤメディアＭをディスクスロット３に挿入することによってもスタンバイ状態から電源オン状態に移行させることができるようになっている。なお、プロジェクター１を電源オン状態にするための操作、即ち電源キーの操作、再生キーの操作、イジェクトキーの操作、及びＤＶＤメディアＭを挿入する操作のことを、本明細書では、「オン操作」とも呼ぶ。ユーザーによりオン操作がなされて、プロジェクター１が電源オン状態に移行すると、ユーザー認証機能が有効の場合には認証処理が行われ、その後、オン操作の種別に応じて異なる動作がなされる。
【００４２】
図３は、スタンバイ状態で電源キー又は再生キーが操作された場合のプロジェクター１の動作を説明するフローチャートである。スタンバイ状態においてユーザーにより電源キー又は再生キーが操作されると、制御部２０は、図３に示すフローに従って動作する。
【００４３】
図３に示すように、ステップＳ１０１では、制御部２０は、電源回路３３に指示をして、各部への動作電力の供給を開始させ、プロジェクター１を電源オン状態に移行させる。そして、ステップＳ１０２では、制御部２０は、光源制御部３４に指示をして光源１１を点灯させ、画像の投写が可能な状態とする。
【００４４】
ステップＳ１０３では、制御部２０は、記憶部２１に記憶されている認証フラグに基づいて、ユーザー認証機能が有効であるか否かを判断する。そして、ユーザー認証機能が無効である場合にはステップＳ１０４に移行し、ユーザー認証機能が有効である場合にはステップＳ１０６に移行する。
【００４５】
ユーザー認証機能が無効であってステップＳ１０４に移行すると、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されていない場合には、そのままフローを終了し、ＤＶＤメディアＭが挿入されている場合には、ステップＳ１０５に移行する。
【００４６】
ディスクスロット３にＤＶＤメディアＭが挿入されていてステップＳ１０５に移行した場合には、制御部２０は、ＤＶＤ再生部２５に指示をして、ＤＶＤメディアＭの再生を開始させ、フローを終了する。この結果、ＤＶＤ再生部２５によって再生された画像情報に基づく画像（ＤＶＤ画像）が画像投写部１０から投写される。
【００４７】
一方、ユーザー認証機能が有効であってステップＳ１０６に移行した場合には、制御部２０は、ＯＳＤ処理部３２に指示をして、暗証番号の入力を促すためのメッセージ画像（認証画像Ｗ１）を投写画像上に重畳表示させる（図４参照）。そして、ステップＳ１０７では、制御部２０は、ユーザーによる暗証番号の入力、即ちリモコン２３に備わる数字キーの入力操作を受け付ける。
【００４８】
ステップＳ１０８では、制御部２０は、ユーザーによって入力される暗証番号に基づいて認証処理を行う。具体的には、制御部２０は、操作信号受信部２４から入力される操作信号に基づいて、操作された数字キー、即ち入力された数字を順次認識する。そして、４つの数字が入力されると、これを４桁の暗証番号とみなし、記憶部２１に記憶されている暗証番号（正規の暗証番号）と比較する。そして、入力された暗証番号が正規の暗証番号と一致した場合には、ユーザー認証が成立する。また、暗証番号が一致しない場合には、制御部２０は、ＯＳＤ処理部３２に所定のメッセージ画像（図示せず）を重畳表示させて暗証番号が一致しない旨を報知するとともに、ユーザーに暗証番号の入力を繰り返させる。そして、所定の回数（例えば、３回）続けて暗証番号が一致しない場合には、ユーザー認証は不成立となる。
【００４９】
ステップＳ１０９では、制御部２０は、ステップＳ１０８における認証処理の結果に基づいて、ユーザー認証が成立したか否かを判断する。そして、ユーザー認証が成立した場合、即ち暗証番号の不一致が所定の回数に達する前に正規の暗証番号が入力された場合には、制御部２０は、ＯＳＤ処理部３２に認証画像Ｗ１の重畳を終了させた後にステップＳ１０４に移行し、ディスクスロット３にＤＶＤメディアＭが挿入されていれば、その再生を開始してフローを終了する。そして、これ以降、プロジェクター１は、ユーザーによってなされる入力操作等に応じた動作を行う。一方、ユーザー認証が不成立の場合、即ち暗証番号の不一致が所定の回数続いた場合にはステップＳ１１０に移行する。
【００５０】
ユーザー認証が不成立となってステップＳ１１０に移行すると、制御部２０は、光源制御部３４に指示をして光源１１を消灯させる。そして、ステップＳ１１１では、制御部２０は、電源回路３３に指示をして、各部への動作電力の供給を停止させ、プロジェクター１をスタンバイ状態に移行させてフローを終了する。
【００５１】
プロジェクター１は上記のように動作するため、ユーザーは、スタンバイ状態で電源キー又は再生キーを操作することによって、プロジェクター１を電源オン状態に移行させることができる。そして、ユーザー認証機能が無効の場合には、ディスクスロット３にＤＶＤメディアＭが挿入されていればその再生が自動的に開始されるとともに、それ以降のプロジェクター１の利用が可能となる。一方、ユーザー認証機能が有効の場合には、暗証番号によるユーザー認証が行われ、ユーザー認証が成立した場合にのみ、ＤＶＤメディアＭの再生が開始して、それ以降のプロジェクター１の利用も可能となる。言い替えれば、ユーザー認証機能が有効の場合には、制御部２０は、スタンバイ状態でディスクスロット３に挿入されていたＤＶＤメディアＭの再生を、ユーザー認証が成立するまで禁止する。
【００５２】
図５は、スタンバイ状態でイジェクトキーが操作された場合のプロジェクター１の動作を説明するフローチャートである。スタンバイ状態においてユーザーによりイジェクトキーが操作されると、制御部２０は、図５に示すフローに従って動作する。なお、ステップＳ２０５以外のステップ（ステップＳ２０１〜Ｓ２０４，Ｓ２０６〜Ｓ２０９）の動作については、図３におけるステップＳ１０１〜Ｓ１０４，Ｓ１０６〜Ｓ１０９と同一である。
【００５３】
即ち、図５に示すように、ステップＳ２０１では、制御部２０は、電源回路３３に指示をして、各部への動作電力の供給を開始させ、プロジェクター１を電源オン状態に移行させる。そして、ステップＳ２０２では、制御部２０は、光源制御部３４に指示をして光源１１を点灯させ、画像の投写が可能な状態とする。
【００５４】
ステップＳ２０３では、制御部２０は、記憶部２１に記憶されている認証フラグに基づいて、ユーザー認証機能が有効であるか否かを判断する。そして、ユーザー認証機能が無効である場合にはステップＳ２０４に移行し、ユーザー認証機能が有効である場合にはステップＳ２０６に移行する。
【００５５】
ユーザー認証機能が無効であってステップＳ２０４に移行すると、制御部２０は、装着センサー２８の検出結果に基づいて、ターンテーブルにＤＶＤメディアＭが装着されているか否か、即ちディスクスロット３にＤＶＤメディアＭが挿入されているか否かを判断する。そして、ＤＶＤメディアＭが挿入されていない場合には、そのままフローを終了し、ＤＶＤメディアＭが挿入されている場合には、ステップＳ２０５に移行する。
【００５６】
ディスクスロット３にＤＶＤメディアＭが挿入されていてステップＳ２０５に移行した場合には、制御部２０は、ＤＶＤ再生部２５に指示をして、挿入されているＤＶＤメディアＭをメディア搬送部２７によって排出させてフローを終了する。
【００５７】
一方、ユーザー認証機能が有効であってステップＳ２０６に移行した場合には、制御部２０は、ＯＳＤ処理部３２に指示をして、認証画像Ｗ１（図４参照）を投写画像上に重畳表示させる。そして、ステップＳ２０７では、制御部２０は、ユーザーによる暗証番号の入力、即ちリモコン２３に備わる数字キーの入力操作を受け付ける。
【００５８】
ステップＳ２０８では、制御部２０は、ユーザーによって入力される暗証番号に基づいて認証処理を行い、ステップＳ２０９では、制御部２０は、ステップＳ２０８における認証処理の結果に基づいて、ユーザー認証が成立したか否かを判断する。そして、ユーザー認証が成立した場合、即ち暗証番号の不一致が所定の回数に達する前に正規の暗証番号が入力された場合には、制御部２０は、ＯＳＤ処理部３２に認証画像Ｗ１の重畳を終了させた後にステップＳ２０４に移行し、ディスクスロット３にＤＶＤメディアＭが挿入されていれば、それを排出してフローを終了する。そして、これ以降、プロジェクター１は、ユーザーによってなされる入力操作等に応じた動作を行う。一方、ユーザー認証が不成立の場合、即ち暗証番号の不一致が所定の回数続いた場合にはステップＳ２１０に移行する。
【００５９】
ユーザー認証が不成立となってステップＳ２１０に移行すると、制御部２０は、光源制御部３４に指示をして光源１１を消灯させる。そして、ステップＳ２１１では、制御部２０は、電源回路３３に指示をして、各部への動作電力の供給を停止させ、プロジェクター１をスタンバイ状態に移行させてフローを終了する。
【００６０】
プロジェクター１は上記のように動作するため、ユーザーは、スタンバイ状態でイジェクトキーを操作することによって、プロジェクター１を電源オン状態に移行させることができる。そして、ユーザー認証機能が無効の場合には、ディスクスロット３にＤＶＤメディアＭが挿入されていればＤＶＤメディアＭが排出されるとともに、それ以降のプロジェクター１の利用が可能となる。一方、ユーザー認証機能が有効の場合には、暗証番号によるユーザー認証処理が行われ、ユーザー認証が成立した場合にのみ、ＤＶＤメディアＭが排出され、それ以降のプロジェクター１の利用も可能となる。言い替えれば、ユーザー認証機能が有効の場合には、制御部２０は、スタンバイ状態でディスクスロット３に挿入されていたＤＶＤメディアＭの排出を、ユーザー認証が成立するまで禁止する。
【００６１】
図６は、スタンバイ状態でＤＶＤメディアＭがディスクスロット３に挿入された場合のプロジェクター１の動作を説明するフローチャートである。スタンバイ状態においてユーザーによりＤＶＤメディアＭが挿入され、挿入センサー２６がこれを検出すると、制御部２０は、図６に示すフローに従って動作する。
【００６２】
図６に示すように、ステップＳ３０１では、制御部２０は、装着センサー２８の検出結果に基づいて、ターンテーブルにＤＶＤメディアＭが装着されているか否か、即ちディスクスロット３に他のＤＶＤメディアＭが挿入されているか否かを判断する。そして、他のＤＶＤメディアＭが挿入されている場合には、スタンバイ状態のままフローを終了し、ＤＶＤメディアＭが挿入されていない場合には、ステップＳ３０２に移行する。
【００６３】
ディスクスロット３に他のＤＶＤメディアＭが挿入されておらずステップＳ３０２に移行した場合には、制御部２０は、電源回路３３に指示をして、各部への動作電力の供給を開始させ、プロジェクター１を電源オン状態に移行させる。そして、ステップＳ３０３では、制御部２０は、光源制御部３４に指示をして光源１１を点灯させ、画像の投写が可能な状態とする。
【００６４】
ステップＳ３０４では、制御部２０は、ＤＶＤ再生部２５に指示をして、新たに挿入されたＤＶＤメディアＭをメディア搬送部２７によって搬送させ、ターンテーブルに装着させる。
【００６５】
続くステップＳ３０５では、制御部２０は、記憶部２１に記憶されている認証フラグに基づいて、ユーザー認証機能が有効であるか否かを判断する。そして、ユーザー認証機能が無効である場合にはステップＳ３０６に移行し、ユーザー認証機能が有効である場合にはステップＳ３０７に移行する。
【００６６】
ユーザー認証機能が無効であってステップＳ３０６に移行した場合には、制御部２０は、ＤＶＤ再生部２５に指示をして、新たに挿入されたＤＶＤメディアＭの再生を開始させ、フローを終了する。この結果、画像投写部１０からＤＶＤ画像が投写される。
【００６７】
一方、ユーザー認証機能が有効であってステップＳ３０７に移行した場合には、制御部２０は、ＤＶＤ再生部２５に指示をして、挿入されたＤＶＤメディアＭをメディア搬送部２７によって排出させる。
【００６８】
ステップＳ３０８では、制御部２０は、ＯＳＤ処理部３２に指示をして認証画像Ｗ１（図４参照）を投写画像上に重畳表示させる。そして、ステップＳ３０９では、制御部２０は、ユーザーによる暗証番号の入力、即ちリモコン２３に備わる数字キーの入力操作を受け付ける。
【００６９】
ステップＳ３１０では、制御部２０は、ユーザーによって入力される暗証番号に基づいて認証処理を行い、ステップＳ３１１では、制御部２０は、ユーザー認証が成立したか否かを判断する。そして、ユーザー認証が成立した場合、即ち暗証番号の不一致が所定の回数に達する前に正規の暗証番号が入力された場合には、制御部２０は、ＯＳＤ処理部３２に認証画像Ｗ１の重畳を終了させてフローを終了する。そして、これ以降、プロジェクター１は、ユーザーによってなされる入力操作等に応じた動作を行う。例えば、ステップＳ３０７で排出されたＤＶＤメディアＭが改めてディスクスロット３に挿入された場合には、制御部２０は、ＤＶＤ再生部２５に指示をして、新たに挿入されたＤＶＤメディアＭをメディア搬送部２７によって搬送させ、ターンテーブルに装着させる。そして、ＤＶＤ再生部２５に指示をして、挿入されたＤＶＤメディアＭの再生を開始させる。一方、ステップＳ３１０における認証処理において、ユーザー認証が不成立の場合、即ち暗証番号の不一致が所定の回数続いた場合にはステップＳ３１２に移行する。
【００７０】
ユーザー認証が不成立となってステップＳ３１２に移行すると、制御部２０は、光源制御部３４に指示をして光源１１を消灯させる。そして、ステップＳ３１３では、制御部２０は、電源回路３３に指示をして、各部への動作電力の供給を停止させ、プロジェクター１をスタンバイ状態に移行させてフローを終了する。
【００７１】
プロジェクター１は上記のように動作するため、スタンバイ状態でターンテーブルにＤＶＤメディアＭに装着されていない場合には、ユーザーは、ＤＶＤメディアＭをディスクスロット３に挿入することによって、プロジェクター１を電源オン状態に移行させることができる。そして、ユーザー認証機能が無効の場合には、挿入したＤＶＤメディアＭの再生が自動的に開始されるとともに、それ以降のプロジェクター１の利用が可能となる。一方、ユーザー認証機能が有効の場合には、ＤＶＤメディアＭの再生は開始されずにＤＶＤメディアＭが排出され、暗証番号によるユーザー認証処理が行われる。そして、このユーザー認証が成立した場合にのみ、それ以降のプロジェクター１の利用、即ちＤＶＤメディアＭを挿入してそれを再生したりすることが可能となり、ユーザー認証が不成立の場合には、プロジェクター１はスタンバイ状態に移行するため、ＤＶＤメディアＭは再生されない。言い替えれば、ユーザー認証機能が有効の場合には、制御部２０は、ＤＶＤメディアＭの再生を、ユーザー認証が成立するまで禁止する。このため、スタンバイ状態に移行させるステップＳ３１３は、再生禁止ステップに相当する。
【００７２】
ここで、認証画像Ｗ１が表示されている状態、即ち暗証番号の入力を受け付けている状態では、制御部２０は、再生キー及びイジェクトキー等、ＤＶＤ再生部２５の動作に関わる操作キーの操作を無視するようになっており、ユーザーがこれらの操作キーを操作しても、ＤＶＤメディアＭが再生されたり、排出されたりすることはない。また、認証画像Ｗ１が表示されている状態で、挿入センサー２６がＤＶＤメディアＭの挿入を検出した場合には、他のＤＶＤメディアＭが挿入されていない状態であれば、ＤＶＤメディアＭを搬送してターンテーブルに装着させるが、その後、このＤＶＤメディアＭを排出する。
【００７３】
以上説明したように、本実施形態のプロジェクター１によれば、以下の効果を得ることができる。
【００７４】
（１）本実施形態のプロジェクター１によれば、ユーザー認証機能が有効の場合には、ユーザー認証が成立しない限り、ＤＶＤメディアＭ（画像情報）が再生されることはないため、不正なユーザーによる無断使用を抑制することが可能となる。
【００７５】
（２）本実施形態のプロジェクター１によれば、ユーザー認証機能が有効の場合には、ＤＶＤメディアＭを挿入させる操作を行っても、ユーザー認証が成立しない限り、取り込まれたＤＶＤメディアＭが排出されるため、画像情報の再生ができないことをユーザーに認識させることができる。ここで、ユーザー認証が成立する前に挿入されたＤＶＤメディアＭをプロジェクター１の内部に取り込んだまま排出しない態様を想定すると、ユーザーによっては、間もなく再生が開始されるものと勘違いしてしまう恐れがある。また、ユーザー認証が成立するまで取り込み（搬送）自体を行わない態様を想定すると、ユーザーによっては、プロジェクター１が故障したものと勘違いしてしまう恐れがある。これに対して、本実施形態では、ユーザー認証が成立する前に挿入されたＤＶＤメディアＭを排出するようにしているため、ユーザー認証を行うべきであることをユーザーに認識させやすい。
【００７６】
（３）本実施形態のプロジェクター１によれば、ユーザー認証機能が有効の場合には、スタンバイ状態でディスクスロット３に挿入されていたＤＶＤメディアＭ（画像情報）は、ユーザー認証が成立しない限り排出されることがないため、暗証番号を知らない不正なユーザーにＤＶＤメディアＭを持ち出されてしまうことがない。
【００７７】
なお、本実施形態では、ステップＳ１０８（図３参照）、ステップＳ２０８（図５参照）、或いはステップＳ３１０（図６参照）にて認証処理を実行する際の制御部２０が認証部に相当する。また、メディア搬送部２７にＤＶＤメディアＭを取り込ませるために、ＤＶＤメディアＭをディスクスロット３に挿入する操作が取り込み操作に相当し、ＤＶＤメディアＭの挿入を検出する挿入センサー２６が取り込み操作検出部に相当する。また、メディア搬送部２７にＤＶＤメディアＭを排出させるためのイジェクトキーの操作が排出操作に相当し、イジェクトキーの操作を受け付ける本体操作部２２及びリモコン２３が排出操作検出部に相当する。
【００７８】
（変形例）
また、上記実施形態は、以下のように変更してもよい。
【００７９】
上記実施形態では、ユーザー認証が成立するまでは、新たにディスクスロット３に挿入されたＤＶＤメディアＭを排出するようにしているが、必ずしも排出する必要はなく、ターンテーブルに装着したままにしておいてもよい。つまり、図６に示したフローチャートにおいて、ステップＳ３０７を省略した態様としてもよい。
また、この態様では、スタンバイ状態のときに挿入されていたＤＶＤメディアＭが、ユーザー認証の成立前に排出されないようにさえすれば、新たなＤＶＤメディアＭの挿入や、イジェクトキーによるＤＶＤメディアＭの排出をユーザーが自由に行えるようにしてもよい。これを実現するためには、スタンバイ状態から電源オン状態に移行する際に、ターンテーブルにＤＶＤメディアＭが装着されているか否かを装着センサー２８で検出し、ＤＶＤメディアＭが装着されていない場合にのみ、ＤＶＤメディアＭの挿入やイジェクトキーによる排出を許可するようにすればよい。
【００８０】
上記実施形態では、ユーザー認証が成立するまでは、新たにディスクスロット３に挿入されたＤＶＤメディアＭをターンテーブルに装着した後に排出しているが、必ずしもターンテーブルに装着する必要はない。つまり、ＤＶＤメディアＭを途中まで取り込んだ後、ターンテーブルに装着することなく排出するようにしてもよい。また、図６に示したフローチャートにおいて、ステップＳ３０４，Ｓ３０７を省略することにより、新たなＤＶＤメディアＭの取り込み自体を禁止する態様としてもよい。この態様では、ユーザー認証が成立する前にＤＶＤメディアＭを挿入しようとしても、ＤＶＤメディアＭは取り込まれないため、画像情報の再生ができないことをユーザーに認識させることができる。
【００８１】
上記実施形態では、ＤＶＤメディアＭに記録されている情報の読み取りが可能なＤＶＤ再生部２５を備えた構成を示しているが、ＤＶＤ以外の光ディスク（例えば、ブルーレイディスク）、各種半導体メモリー、磁気ディスク、磁気テープ等、他の記録媒体に記録されている情報の読み取りが可能な構成であってもよい。この場合でも、不正なユーザーに記録媒体が取り出されてしまうことがないよう、ユーザー認証が成立した場合にのみ記録媒体を排出可能にする態様とするか、或いは、ユーザー認証が成立した場合にのみ記録媒体が離脱可能になる態様とすることが望ましい。
【００８２】
上記実施形態では、暗証番号によってユーザーの認証を行う態様を示しているが、英字や記号等を含んだパスワードによって認証を行うようにしてもよい。或いは、本体操作部２２やリモコン２３に備わる各種機能キーを所定の順序（シーケンス）で操作することを認証の要件にしてもよい。また、指紋認証をはじめとする生体認証等、様々な認証方法を用いることも可能である。
【００８３】
上記実施形態では、ＤＶＤ再生部２５にＤＶＤメディアＭを装着する方式として、ディスクスロット３にＤＶＤメディアＭを直接挿入するスロットイン方式を採用しているが、ＤＶＤ再生部２５は、スロットイン方式に限定されず、例えば、ＤＶＤメディアＭをトレイに載置して搬送するトレイローディング方式を採用してもよい。トレイローディング方式の場合には、ＤＶＤメディアＭを取り込む場合も排出する場合も、イジェクトキーを操作してトレイを外部に引き出す必要があるため、イジェクトキーの操作は、取り込み操作と排出操作の双方に相当する。このため、ＤＶＤメディアＭの取り込みや排出を禁止する際には、イジェクトキーの操作に応じたトレイの引き出し動作を禁止すればよい。
また、ターンテーブルを覆う開閉蓋を開いてユーザーが直接ターンテーブルにＤＶＤメディアＭを装着するトップローディング方式を採用することも可能である。トップローディング方式の場合には、ＤＶＤメディアＭを取り込む場合も排出する場合も、イジェクトキーを操作して開閉蓋を開放する必要があるため、イジェクトキーの操作は、取り込み操作と排出操作の双方に相当する。このため、ＤＶＤメディアＭの取り込みや排出を禁止する際には、開閉蓋の開放動作を禁止すればよい。
【００８４】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８５】
上記実施形態では、光源１１は、放電型の光源ランプ１１ａによって構成されているが、ＬＥＤ（Light Emitting Diode）光源等の固体光源や、その他の光源を用いることもできる。
【００８６】
上記実施形態では、画像表示装置として、光源１１から射出された光を変調して投写するプロジェクター１を例にして説明しているが、透過型のスクリーンを一体的に備えたリアプロジェクター、或いは、液晶ディスプレー、プラズマディスプレー、ＳＥＤ（Surface-conduction Electron-emitter Display）、有機ＥＬ（Electro Luminescence）ディスプレー等、他の画像表示装置に適用することも可能である。
【符号の説明】
【００８７】
１…プロジェクター、２…筐体、３…ディスクスロット、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…ライトバルブ駆動部、２０…制御部、２１…記憶部、２２…本体操作部、２３…リモコン、２４…操作信号受信部、２５…ＤＶＤ再生部、２６…挿入センサー、２７…メディア搬送部、２８…装着センサー、２９…データ読取部、３０…データ処理部、３１…画像処理部、３２…ＯＳＤ処理部、３３…電源回路、３４…光源制御部、Ｍ…ＤＶＤメディア、ＳＣ…スクリーン、Ｗ１…認証画像。
【図１】
2010283423.tif 000003
【図２】
2010283423.tif 000004
【図３】
2010283423.tif 000005
【図４】
2010283423.tif 000006
【図５】
2010283423.tif 000007
【図６】
2010283423.tif 000008